(57)【要約】【課題】照明を内蔵させることなく、効果的な表示が可能な安価な表示具を提供する。【解決手段】上向きの斜面部２２を有する断面直角台形状の中空のケース２０の少なくとも斜面部２２と上面部２３を透明材料で構成すると共に、斜面部２２に情報を付設する一方、ケース２０内には斜面部２２及び上面部２３からの入射光Ｌを斜面部２２へ反射する反射板２５を設けて、情報が付設された斜面部２２を反射光Ｌ’で光らせることができるようにする。【選択図】図２
2011090077.tif 000002
【特許請求の範囲】
【請求項１】
上向きの斜面部を有する断面直角台形状をなし、少なくとも斜面部と上面部が透明材料で構成された中空のケースと、このケース内に設けられ、ケースの斜面部及び／又は上面部から入射した光の少なくとも一部を斜面部へ反射する反射面を有する反射板とを備え、ケースの斜面部及び／又はケースの斜面部を介して目視できる反射板の反射面に情報が付設されていることを特徴とする表示具。
【請求項２】
反射板が上下方向に撓まされており、その反射面が、前面ケースの斜面部に向かって斜め上方を向いた凹面を形成していることを特徴とする請求項１に記載の表示具。
【請求項３】
反射板の反射面にホログラム加工が施されていることを特徴とする請求項１又は２に記載の表示具。
【請求項４】
前面ケースの少なくとも斜面部と上面部が無色透明材料で構成されており、反射板の反射面が着色されていることを特徴とする請求項１又は２に記載の表示具。
【請求項５】
前面ケースの斜面部の内面に、斜面部を白濁させない粗さの凹凸が形成されていることを特徴とする請求項１〜５のいずれか１項に記載の表示具。
【請求項６】
請求項１〜５のいずれか１項に記載の表示具が、展示物を載置する厚板状の載置台の前面に、ケースの斜面部を前方に向けて取り付けられており、付設されている情報が展示物に関する情報であることを特徴とする展示台。
【請求項７】
載置台が、組み立て及び展開可能なダンボール紙製の箱体であることを特徴とする請求項１〜４のいずれか１項に記載の展示台。
【発明の詳細な説明】
【技術分野】
【０００１】
本発明は、例えば商品情報等の情報表示に用いられる表示具、及び、商品等の展示物を載置する載置台とこの表示具とを組み合わせた展示台に関する。
【背景技術】
【０００２】
従来、展示台としては、展示物を載置するための板状の載置台であるステージの縁部に、展示物の情報を表示する表示具として円柱状のサインバーを設け、このサインバーの周面に展示物の情報を付設したものが知られている（特許文献１参照）。
【先行技術文献】
【特許文献】
【０００３】
【特許文献１】特開２００２−７８５８４号公報
【発明の概要】
【発明が解決しようとする課題】
【０００４】
しかしながら、上記従来の展示台の表示具は、単に展示物の情報を表示するだけのものにすぎず、積極的に人の注意を引き付けるものではなく、人目を引きにくい問題がある。したがって、この表示具と載置台を組み合わせた展示台に商品等を展示しても、良好な展示効果が得にくい問題がある。
【０００５】
ところで、表示具に照明を内蔵させて発光させることで人の注意を引き付けることが可能である。しかし、照明の設置は、表示具及びそれを用いた展示台のコストを引き上げてしまう原因となる。また、表示具で表示する情報や展示品が、節電によるエコロジーについての情報や節電を前面に打ち出した家庭用電気製品の場合、表示に電気を使用することが情報の内容や商品イメージにそぐわなくなる問題もある。
【０００６】
そこで本発明は、上記課題に鑑み、照明を内蔵させることなく、効果的な表示が可能な安価な表示具と、この表示具を備えた展示台を提供することを目的とする。
【課題を解決するための手段】
【０００７】
上記課題を解決するために、本発明の第１は、上向きの斜面部を有する断面直角台形状をなし、少なくとも斜面部と上面部が透明材料で構成された中空のケースと、このケース内に設けられ、ケースの斜面部及び／又は上面部から入射した光の少なくとも一部を斜面部へ反射する反射面を有する反射板とを備え、ケースの斜面部及び／又はケースの斜面部を介して目視できる反射板の反射面に情報が付設されていることを特徴とする表示具を提供するものである。
【０００８】
上記本発明の第１に係る表示具は、反射板が上下方向に撓まされており、その反射面が、ケースの斜面部に向かって斜め上方を向いた凹面を形成していること、
反射板の反射面にホログラム加工が施されていること、
ケースの少なくとも斜面部と上面部が無色透明材料で構成されており、反射板の反射面が着色されていること、
ケースの斜面部の内面に、斜面部を白濁させない粗さの凹凸が形成されていること、
をその好ましい態様として含むものである。
【０００９】
また、本発明の第２は、上記本発明の第１に係るいずれかの表示具が、展示物を載置する厚板状の載置台の前面に、ケースの斜面部を前方に向けて取り付けられており、付設されている情報が展示物に関する情報であることを特徴とする展示台を提供するものである。
【００１０】
上記本発明の第２に係る展示台は、載置台が、組み立て及び展開可能なダンボール紙製の箱体であることをその好ましい態様として含むものである。
【００１１】
なお、本発明において情報とは、文字、図形、記号又はこれらの組み合わせにより表示される公衆に対する伝達事項をいい、例えば商標、キャッチフレーズ、商品説明等の商品情報、商業施設における経路や売り場名称等を示す案内情報等をいう。また、展示物とは、公衆に対して展示される物品をいい、商品の他、販売目的以外で展示される装飾品、美術品等をも含む。更に、展示物に関する情報とは、展示物が商品の場合には、当該商品の商標、キャッチフレーズ、商品説明等、当該商品の販売のための情報をいい、その他の展示物の場合には、当該展示物の名称、説明等、当該展示物に関する理解を促すための情報をいう。
【発明の効果】
【００１２】
本発明の表示具は室内で使用されるもので、斜面部及び／又は上面部を介してケース内に入射した室内照明の光が、反射板の反射面で反射されて斜面部から出射されることになる。このため、斜面部に情報を付設した場合、バックライトを当てながら情報を表示したような状態となる。また、ケースの斜面部を介して目視できる反射板の反射面に情報を付設した場合、反射面に付された情報は、上記反射光により光る斜面部を介して表示されることになる。したがって、いずれの場合も光によって人の注意を引き付けやすい状態で表示を行うことができ、効果的な表示が可能となる。また、ケースに内蔵されているのは、照明に比して格段に安価な反射板であるので、人の注意を引き付けやすくするためのコストアップを抑制することができる。
【００１３】
本発明の表示具は、反射板が上下方向に撓まされており、その反射面が、ケースの斜面部に向かって斜め上方を向いた凹面を形成していると、ケースの斜面部及び／又は上面部から入射した光を斜面部に向かって反射させやすくなる。
【００１４】
本発明の表示具は、反射板の反射面にホログラム加工が施されていると、斜面部を虹色に光らせることができ、人の注意を一層引き付けやすくなる。
【００１５】
本発明の表示具は、ケースの少なくとも斜面部と上面部が無色透明材料で構成されており、反射板の反射面が着色されていると、斜面部への反射光量を維持しつつ斜面部を着色状態に光らせることができる。
【００１６】
本発明の表示具は、ケースの斜面部の内面に、斜面部を白濁させない粗さの凹凸が形成されていると、反射板からの反射光を斜面部で乱反射させて、局部的にキラキラ輝く箇所を形成することができる。
【００１７】
本発明の展示台は、展示物についての情報を、上記のように人の注意を引き付けやすい状態で表示しながら展示を行うことができるので、展示効果を高めることができる。また、上記と同じ理由から、人の注意を引き付けやすくするためのコストアップを抑制することができる。
【００１８】
本発明の展示台は、載置台を、組み立て及び展開可能なダンボール紙製の箱体としておくと、安価で保管及び運搬がしやすい展示台とすることができる。
【図面の簡単な説明】
【００１９】
【図１】本発明に係る表示具の一例を示す上面側の斜視図である。
【図２】図１に示される表示具の側断面図である。
【図３】本発明に係る展示台の一例を示す上面側の斜視図である。
【図４】図３に示される展示台の下面側の斜視図である。
【図５】図３に示される展示台の側断面図である。
【発明を実施するための形態】
【００２０】
以下、図面を参照して、本発明を更に説明する。
【００２１】
まず、本発明に係る表示具について説明する。図１は本発明に係る表示具の一例を示す上面側の斜視図、図２は図１に示される表示具の側断面図である。
【００２２】
図中符号２０で示されるケースは、中空で、上向きの斜面部２２を有する断面直角台形状（片台形状）をなしている。ケース２０内には、反射面２６を前方に向けた反射板２５が設けられている。この反射板２５は、ケース２０内のほぼ全長に亘って設けられている。
【００２３】
本表示具は室内で使用されるもので、表示を行う室内の照明の光をケース２０内へ取り入れることができるよう、ケース２０の少なくとも斜面部２２と上面部２３が透明材料で構成されている。また、斜面部２２及び／又は上面部２３からの入射光Ｌの少なくとも一部は、反射板２５の反射面２６で斜面部２２へ反射され、反射光Ｌ’として斜面部２２から出射されるものとなっている。
【００２４】
図示される例においては、ケース２０の斜面部２２に情報３０が付設されている。斜面部２２への情報３０の付設は、斜面部２２の外面又は内面に、例えばレーザー加工、印刷フィルムやシールの貼着、転写等を施すことで行うことができる。この情報３０の付設は、周囲に情報３０の付設されていない領域、即ち透明な斜面部２２の露出領域を残して行われる。斜面部２２に情報３０を付設した場合、上記斜面部２２の露出領域及び／又は上面部２３からの入射光Ｌの少なくとも一部が反射板２５の反射面２６で反射されて上記斜面部２２の露出領域から出射されることで、あたかも情報３０をバックライトを当てながら表示しているような効果を得ることができる。
【００２５】
情報３０は、ケース２０の斜面部２２を介して目視できる反射板２５の反射面２６に付設することもできる。反射板２５の反射面２６への情報３０の付設は、反射面２６に、上記斜面部２２での表示の場合と同様の加工を施すことで行うことができる。この場合も、周囲に情報３０の付設されていない領域、即ち反射面２６の露出領域を残して行われる。反射板２５の反射面２６に情報を付設した場合、入射光Ｌの少なくとも一部が上記反射面２６の露出面で反射されてケース２０の斜面部２２から反射光Ｌ’として出射されることで、光る斜面部２２を介して情報３０を表示することができる。
【００２６】
情報３０は、ケース２０の斜面部２２と反射板２５の反射面２６のいずれか一方に付設してもよいが、同時に両者に付設することもできる。
【００２７】
少なくともケース２０の斜面部２２と上面部２３を構成する透明材料としては、例えばアクリル、ポリプロピレン、ポリエステル等の合成樹脂を挙げることができる。この透明材料は、無色透明でも有色透明でもよいが、できるだけケース２０内に取り入れる入射光Ｌの量を増やすという観点からは無色透明であることが好ましい。側面部２１，２１、背面部２４、底面部２７は透明材料で構成しなくても良いが、斜面部２２及び上面部２３と共に同じ透明材料で一体成形しても差し支えない。
【００２８】
反射板２５としては、反射面２６として例えば金属蒸着面を有する積層シート、例えば金属蒸着シートと紙の積層シート等を用いることができる。反射板２５の反射面２６は平坦でも良いが、斜面部２２と上面部２３から入射した光Ｌをできるだけ多くケース２０の斜面部２２へと反射することができるよう、反射板２５が上下方向に撓まされることで、斜面部２２に向かって斜め上方を向いた凹面を形成していることが好ましい。
【００２９】
反射板２５の反射面２６に波状や市松模様等の繰り返し模様のホログラム加工を施しておいたり、着色を施しておくこともできる。ホログラム加工を施しておくと、ケース２０の斜面部２２を虹色に光らせることができる。また、反射面２６に着色を施しておくと、ケース２０（少なくとも斜面部２２と上面部２３）を無色透明材料で構成しておいても、斜面部２２を着色状態に光らせることができる。
【００３０】
ケース２０の斜面部２２の内面に凹凸を形成しておき、カットグラス様のキラキラした輝きを生じさせることもできる。この場合の凹凸は、斜面部２２を白濁させるような細かい凹凸ではなく、粗いカット模様状で、斜面部２２が白濁せずに透明性を維持できる粗さの凹凸である。
【００３１】
次に、本発明に係る展示台について説明する。図３は本発明に係る展示台の一例を示す上面側の斜視図、図４は図３に示される展示台の下面側の斜視図、図５は図３に示される展示台の側断面図である。なお、例の展示台は、展示物としてＤＶＤ録画再生装置等の電気製品（商品）を想定したものである。また、図３〜５において、図１及び図２と同じ符号は同じ部材又は部位を示す。
【００３２】
図３〜図５に示すように、本展示台１は、図１及び図２で説明した、ケース２０及び反射板２５を備えた表示具と、展示物を載置する厚板状の載置台１０とを組み合わせたものとなっている。表示具を構成するケース２０は、斜面部２２を前方に向けて、載置台１０の前面に取り付けられている。ケース２０及び反射板２５を備えた表示具については既に説明したことから、ここでの説明は省略する。
【００３３】
載置台１０は、少なくとも載置する展示物の着座面以上の大きさ（面積）を有する載置面１１を有する平面直方体の厚板状であって、本例では、例えば、組み立て、展開可能なダンボール紙製の箱体により形成されている。載置する展示物がＤＶＤ録画再生装置等の電気機器である場合には、約１０ｋｇ程度の重量を有するので、その重量に耐えうる剛性を有する箱体構造に形成されている。本例における載置台１０は、図４及び図５に示すように、載置面１１の下面側に、四周を囲むロ字形に組まれた箱体構造を有するものとなっている。なお、本発明における載置台１０は、このようなダンボール紙製の箱体構造に限定されるものではなく、木材やプラスチック等で構成することもできる。
【００３４】
載置台１０上に展示物を載置して展示すると共に、情報３０として展示物に関する情報を付設しておくと、前述したような注意を引きやすい情報３０の表示が行われることから、展示物の効果的な展示を行うことができる。
【００３５】
なお、ケース２０と載置台１０は接着等により連結しておいてもよいが、載置台１０に対してケース２０を着脱可能に設けし、展示物に応じて情報３０が異なるケース２０に取り替え可能に構成してもよい。このように構成すれば、載置台１０を異なる展示物間で共用することができ、汎用性を向上させることができる。また、載置台１０に対してケース２０を着脱可能とすると共に、載置台１０を組み立て及び展開可能なダンボール紙製の箱体としておくと、安価で保管及び運搬がしやすい展示台とすることができる。
【符号の説明】
【００３６】
１０  載置台
１１  載置面
２０  ケース
２１  側面部
２２  斜面部
２３  上面部
２４  背面部
２５  反射板
２６  反射面
２７  底面部
Ｌ  入射光
Ｌ’  反射光
【図１】
2011090077.tif 000003
【図２】
2011090077.tif 000004
【図３】
2011090077.tif 000005
【図４】
2011090077.tif 000006
【図５】
2011090077.tif 000007